(57)【要約】【課題】浴槽排水の一部を効率よく受入室内に導入することができる排水トラップを提供する。【解決手段】受入室２０及び封水室２３の下側に、浴槽排水流路３０が延設されている。受入室２０の下方の封水室２３の底面から、浴槽排水流路３０内の浴槽排水の一部を該受入室２０の上部に導き、該受入室２０内に略接線方向に流出させるための導水部材４０が突設されている。浴槽排水流路３０の両側に、それぞれ、該浴槽排水流路３０から分岐した導入流路５０が形成されており、各導入流路５０から各導水部材４０に浴槽排水が流入する。２個の導水部材４０が受入室２０の周壁部２１の周方向に略等間隔にて配設されている。【選択図】図１１
2011089366.tif 000002
【特許請求の範囲】
【請求項１】
筒軸心線方向を略上下方向とした略円筒状の周壁部によって囲まれており、上部に洗い場排水の受入口を有し、下部に第１流出口を有した受入室と、
内部に該周壁部を受け入れており、該第１流出口からの流出水が流入する封水室と、
該封水室に連なる、該封水室からの溢出水を流出させるための第２流出口と、
該第２流出口が連なる合流流出口と、
該受入室及び封水室の下側を通って延在し、一端側に浴槽排水の流入口を有し、他端側に該合流流出口に連なる第３流出口を有している浴槽排水流路と、
一部の浴槽排水を該受入室内に導入するための導水部材と、
を備えており、
該第１流出口からの流出水は、該周壁部の下端と封水室の底面との間の隙間を通って該封水室に流入する浴槽及び洗い場用の排水トラップにおいて、
該浴槽排水流路とは別個に、浴槽排水を該導水部材に導くための導入流路を前記受入室及び封水室の下側に設けたことを特徴とする排水トラップ。
【請求項２】
請求項１において、前記導水部材から水を前記受入室の略接線方向に流出させて該受入室内で旋回流を形成するための旋回流形成手段が設けられていることを特徴とする排水トラップ。
【請求項３】
請求項１又は２において、前記導水部材が複数個設けられていることを特徴とする排水トラップ。
【請求項４】
請求項３において、前記導入流路が複数個設けられており、各導入流路にそれぞれ導水部材が連通していることを特徴とする排水トラップ。
【請求項５】
請求項４において、前記浴槽排水流路の両側にそれぞれ前記導入流路が設けられていることを特徴とする排水トラップ。
【請求項６】
請求項４又は５において、前記導入流路と前記浴槽排水流路とが仕切壁によって区画形成されていることを特徴とする排水トラップ。
【請求項７】
請求項６において、前記導入流路と前記浴槽排水流路とは、前記受入室及び封水室の底面板の下側に設けられており、
該底面板の一部に開口が設けられ、該開口に着脱可能に蓋プレートが装着されており、
前記仕切壁は、該蓋プレートに設けられていることを特徴とする排水トラップ。
【請求項８】
請求項７において、前記導水部材が前記蓋プレートに設けられていることを特徴とする排水トラップ。
【請求項９】
請求項６ないし８のいずれか１項において、前記仕切壁が設置位置変更可能となっていることを特徴とする排水トラップ。
【発明の詳細な説明】
【技術分野】
【０００１】
本発明は、浴槽及び洗い場用の排水トラップであって、洗い場排水を受け入れる受入室と、浴槽排水が流入する浴槽排水流路とを有し、該受入室及び浴槽排水流路から水が共通の流出口を通って排水される排水トラップに係り、特に浴槽排水の一部を受入室内に導入する導水部材を備えた排水トラップに関する。特に、本発明は、この導水部材から水を受入室の略接線方向に流出させて該受入室内で旋回流を形成するように構成された排水トラップに好適な排水トラップに関する。
【背景技術】
【０００２】
洗い場排水を受け入れる受入室と、浴槽排水が流入する浴槽排水流路とを有し、該受入室及び浴槽排水流路から水が共通の流出口（合流流出口）を通って排水される排水トラップとして、浴槽排水流路から浴槽排水の一部を分取し、これを導水部材によって受入室の上部に略接線方向に吐出させて受入室内に旋回流を形成するものが特開２００９−１６７５９０号公報に記載されている。
【０００３】
同号公報第５図〜第８図に明示の通り、同号では導水部材は受入室の軸心部に１本だけ立設されている。また、浴槽排水流路は、浴槽排水の受入部から合流流出口まで分岐することなく連続している。
【先行技術文献】
【特許文献】
【０００４】
【特許文献１】特開２００９−１６７５９０号公報
【発明の概要】
【発明が解決しようとする課題】
【０００５】
本発明は、浴槽排水の一部を効率よく受入室内に導入することができる排水トラップを提供することを目的とする。
【課題を解決するための手段】
【０００６】
請求項１の排水トラップは、筒軸心線方向を略上下方向とした略円筒状の周壁部によって囲まれており、上部に洗い場排水の受入口を有し、下部に第１流出口を有した受入室と、内部に該周壁部を受け入れており、該第１流出口からの流出水が流入する封水室と、該封水室に連なる、該封水室からの溢出水を流出させるための第２流出口と、該第２流出口が連なる合流流出口と、該受入室及び封水室の下側を通って延在し、一端側に浴槽排水の流入口を有し、他端側に該合流流出口に連なる第３流出口を有している浴槽排水流路と、一部の浴槽排水を該受入室内に導入するための導水部材と、を備えており、該第１流出口からの流出水は、該周壁部の下端と封水室の底面との間の隙間を通って該封水室に流入する浴槽及び洗い場用の排水トラップにおいて、該浴槽排水流路とは別個に、浴槽排水を該導水部材に導くための導入流路を前記受入室及び封水室の下側に設けたことを特徴とするものである。
【０００７】
請求項２の排水トラップは、請求項１において、前記導水部材から水を前記受入室の略接線方向に流出させて該受入室内で旋回流を形成するための旋回流形成手段が設けられていることを特徴とするものである。
【０００８】
請求項３の排水トラップは、請求項１又は２において、前記導水部材が複数個設けられていることを特徴とするものである。
【０００９】
請求項４の排水トラップは、請求項３において、前記導入流路が複数個設けられており、各導入流路にそれぞれ導水部材が連通していることを特徴とするものである。
【００１０】
請求項５の排水トラップは、請求項４において、前記浴槽排水流路の両側にそれぞれ前記導入流路が設けられていることを特徴とするものである。
【００１１】
請求項６の排水トラップは、請求項４又は５において、前記導入流路と前記浴槽排水流路とが仕切壁によって区画形成されていることを特徴とするものである。
【００１２】
請求項７の排水トラップは、請求項６において、前記導入流路と前記浴槽排水流路とは、前記受入室及び封水室の底面板の下側に設けられており、該底面板の一部に開口が設けられ、該開口に着脱可能に蓋プレートが装着されており、前記仕切壁は、該蓋プレートに設けられていることを特徴とするものである。
【００１３】
請求項８の排水トラップは、請求項７において、前記導水部材が前記蓋プレートに設けられていることを特徴とするものである。
【００１４】
請求項９の排水トラップは、請求項６ないし８のいずれか１項において、前記仕切壁が設置位置変更可能となっていることを特徴とするものである。
【発明の効果】
【００１５】
本発明（請求項１）の排水トラップにあっては、浴槽排水流路とは別個に、浴槽排水を導水部材に導く導入流路を受入室及び封水室の下側に設けている。そのため、浴槽排水時には、浴槽排水の一部が該導入流路及び導水部材を介して効率よく受入室内に導入される。これにより、浴槽排水が合流流出口を通って流出するのに伴い、封水室内に負圧が生じて該封水室内の封水が合流流出口に吸い出された場合でも、導水部材から受入室内に浴槽排水流路の水の一部が流入することによって封水室内に封水が補給されるため、該封水室内で封水切れすることが防止される。
【００１６】
請求項２の態様にあっては、導水部材から水が受入室の略接線方向に流出することにより、受入室内で旋回流を生じるため、この受入室内に設置されたヘアキャッチャーが旋回流に浸漬され、ヘアキャッチャー内の毛髪などのゴミがヘアキャッチャーの中心に集められる。これにより、ゴミを摘んで捨てることができるようになる。また、ヘアキャッチャーの内外面が旋回流に浸漬されて浄化され、ヌメリ等が除去される。
【００１７】
請求項３のように、導水部材を複数個設けることにより、各導水部材を介してより効率よく受入室内に水を導入することができる。請求項２の態様においてさらに導水部材を複数個設けた場合には、旋回流の旋回方向における流速分布がムラの小さいものとなる。この場合、請求項４のように、導入流路を複数個設け、各導入流路から導水部材を介して受入室内に浴槽排水を導くよう構成することにより、各導水部材から均等に浴槽排水を流出させることができる。
【００１８】
請求項５のように、浴槽排水流路の両側に導入流路を設けた場合には、浴槽排水受入口からの浴槽排水を各導入流路に分岐させて効率よく各導水部材に導くことができる。
【００１９】
請求項６のように、導入流路と浴槽排水流路とを仕切壁によって区画形成するのが、簡便であり、好ましい。
【００２０】
請求項７の態様にあっては、受入室及び封水室の底面板の一部に開口を設け、この開口に蓋プレートを着脱可能に設けている。この蓋プレートを開けることにより、該開口を通して浴槽排水流路や導入流路を清掃することができる。また、この蓋プレートに、浴槽排水流路と導入流路とを区画する仕切壁が設けられているので、蓋プレートを取り外して仕切壁を十分に清掃することができる。
【００２１】
請求項８のように、蓋プレートに導水部材を設けた場合、蓋プレートを取り外して導水部材を清掃することができる。
【００２２】
請求項９の排水トラップにあっては、仕切壁の位置を変更することにより、浴槽排水流路を流れる水量と導入流路を流れる水量との比を変えることができる。そのため、浴槽の容積等に応じて適切な量の浴槽排水を導入流路に導くことが可能となる。
【図面の簡単な説明】
【００２３】
【図１】第１の実施の形態に係る排水トラップの斜視図である。
【図２】図１の排水トラップの上方から受入室内を見た斜視図である。
【図３】図１の排水トラップの封水室天井部を取り外した状態を示す斜視図である。
【図４】図３からさらに周壁部を取り外した状態を示す斜視図である。
【図５】図４からさらに導水筒及び蓋プレートを取り外した状態を示す斜視図である。
【図６】図５からさらに流路カバーを取り外した状態を示す斜視図である。
【図７】図１の排水トラップの周壁部の斜視図である。
【図８】図１の排水トラップの導水筒及び蓋プレートの斜視図である。
【図９】図１のIX−IX線に沿う断面図である。
【図１０】図９のＸ−Ｘ線に沿う断面図である。
【図１１】図９のXI−XI線に沿う断面図である。
【図１２】結合フランジを排水トラップから取り外した状態を示す図１１と同様部分の断面図（分解図）である。
【図１３】周壁部を封水室内から抜き出した状態を示す図１１と同様部分の断面図（分解図）である。
【図１４】第２の実施の形態に係る排水トラップの斜視図である。
【図１５】図１４の排水トラップの封水室天井部を取り外した状態を示す斜視図である。
【図１６】図１５からさらに周壁部を取り外した状態を示す斜視図である。
【図１７】図１４の排水トラップの導水筒及び蓋プレートの上方からの斜視図である。
【図１８】図１７の導水筒及び蓋プレートの下方からの斜視図である。
【図１９】図１６からさらに導水筒及び蓋プレートを取り外した状態を示す斜視図である。
【図２０】図１９からさらに流路カバーを取り外した状態を示す斜視図である。
【図２１】図２０の状態における排水トラップの平面図である。
【図２２】図１４のXXII−XXII線に沿う断面図である。
【図２３】図２２のXXIII−XXIII線に沿う断面図である。
【図２４】第３の実施の形態に係る排水トラップにおける蓋プレートの仕切壁係合部付近の断面図である。
【発明を実施するための形態】
【００２４】
以下、本発明の実施の形態を図面に基づいて説明する。
【００２５】
［第１の実施の形態］
第１図は第１の実施の形態に係る排水トラップの斜視図、第２図はこの排水トラップの上方から受入室内を見た斜視図、第３図はこの排水トラップの封水室天井部を取り外した状態を示す斜視図、第４図は第３図からさらに周壁部を取り外した状態を示す斜視図、第５図は第４図からさらに導水筒及び蓋プレートを取り外した状態を示す斜視図、第６図は第５図からさらに流路カバーを取り外した状態を示す斜視図、第７図はこの排水トラップの周壁部の斜視図、第８図はこの排水トラップの導水筒及び蓋プレートの斜視図、第９図は第１図のIX−IX線に沿う断面図、第１０図は第９図のＸ−Ｘ線に沿う断面図、第１１図は第９図のXI−XI線に沿う断面図、第１２図は結合フランジを排水トラップから取り外した状態を示す第１１図と同様部分の断面図（分解図）、第１３図は周壁部を封水室内から抜き出した状態を示す第１１図と同様部分の断面図（分解図）である。
【００２６】
図示は省略するが、浴室の床は浴槽パンと洗い場パンとによって構成され、この浴槽パン上に浴槽が設置されている。浴槽パン及び浴槽の底面にはそれぞれ浴槽パン排水口及び浴槽排水口が設けられている。該浴槽パン排水口は浴槽排水口よりも大径となっており、且つ浴槽排水口は浴槽パン排水口の内側に露呈するように配置されている。洗い場パンの浴槽側には排水枡が形成されている。この排水枡は洗い場パンと一体に凹み状に形成されており、その底面に洗い場排水口が設けられている。なお、この実施の形態では浴室の床に浴槽パンを設けているが、浴槽パンを設けない仕様であってもよい。
【００２７】
これらの浴槽パン排水口及び洗い場排水口に対し、下側から排水トラップ１０が連結されている。
【００２８】
排水トラップ１０は、洗い場パンからの排水が排水枡の洗い場排水口を通り流入する洗い場排水受入口１１と、浴槽及び浴槽パンからの排水が浴槽排水口及び浴槽パン排水口を通り流入する浴槽排水及び浴槽パン排水流入口（以下、浴槽排水流入口と略すことがある。）１２とを備えている。また、この排水トラップ１０の該浴槽排水流入口１２と反対側の側面部には、これらの洗い場排水受入口１１及び浴槽排水流入口１２から該排水トラップ１０内に流入した水が流出する合流流出口１４が設けられている。この合流流出口１４に排水管（図示略）が接続されている。
【００２９】
排水トラップ１０は、該浴槽パン排水口への接続用の排水ソケット１５（第１，３〜６図）を備えている。この排水ソケット１５は、浴槽パンの下側から該浴槽パン排水口の周縁部に重なる環状のフランジ部１５ａと、上端が該フランジ部１５ａの内周縁に連なる周壁部１５ｂと、該周壁部１５ｂの下端部に周設された内向き鍔状のフランジ部１５ｃと、一端側（上流側）が該フランジ部１５ｃの内周縁に下方から連なり、他端側（下流側）が洗い場パンの下側に向って開放した略Ｌ字管状の浴槽排水流路形成部１５ｄとを有している。該フランジ部１５ｃの内周側が前記浴槽排水流入口１２となっている。周壁部１５ｂの内周面には雌ねじ１５ｅが周設されている。
【００３０】
浴槽パン排水口を介して排水ソケット１５の周壁部１５ｂの内側に結合フランジ（図示略）が上方から螺じ込まれている。この結合フランジは、周壁部１５ｂの内周面の雌ねじ１５ｅに螺合している。この結合フランジの構成は、洗い場排水受入口１１に螺着される後述の結合フランジ１３と同様となっている。この排水ソケット１５のフランジ部１５ａと結合フランジとによって浴槽パン排水口の縁部が挟持され、これにより排水ソケット１５が浴槽パン排水口に接続されている。浴槽排水及び浴槽パン排水は、該結合フランジの内周側を通って排水ソケット１５の浴槽排水流入口１２に流れ込む。
【００３１】
この排水ソケット１５の浴槽排水流路形成部１５ｄの下流側に、浴槽排水流路３０を構成する配管１６の上流側が接続されている。この配管１６の下流側は、後述のハウジング２５の浴槽排水流入口２５ｋに接続されている。このハウジング２５の上面部に、洗い場排水受入口１１を構成する開口２５ａが設けられている。排水枡の洗い場排水口を介してこの開口２５ａに環状の結合フランジ１３が上方から螺着されることにより、ハウジング２５が排水枡の底部に連結されている。なお、この結合フランジ１３及びハウジング２５の詳細な構成については後述する。
【００３２】
この結合フランジ１３を通してハウジング２５内に上方から着脱可能にヘアキャッチャー１７が差し込まれている。このヘアキャッチャー１７は、上面が開いたカゴ（篭）状である。
【００３３】
次に、第１〜１３図を参照してこの排水トラップ１０の構成について詳細に説明する。
【００３４】
排水トラップ１０は、略円筒状の周壁部２１によって囲まれており、上部に前記洗い場排水受入口１１を有し、下部に第１流出口２２を有した洗い場排水の受入室２０と、内部に周壁部２１を受け入れており、該第１流出口２２からの流出水が流入する封水室２３と、該封水室２３と前記合流流出口１４とに連なっており、該封水室２３からの溢出水を該合流流出口１４に流出させるための第２流出口２４と、受入室２０及び封水室２３の下側を通って延在しており、上流側に前記浴槽排水流入口１２を有し、下流側に該合流流出口１４に連なる第３流出口３１を有した浴槽排水流路３０と、受入室２０の下側の浴槽排水流路３０の水の一部を該受入室２０内に導入するための導水部材４０と、浴槽排水流路３０とは別個に受入室２０及び封水室２３の下側に設けられた、浴槽排水を該導水部材４０に導くための導入流路５０等を備えている。
【００３５】
第７，１１〜１３図の通り、この実施の形態では、周壁部２１は、その上端部から高さ方向の途中部までが、下端側ほど内径が小さくなる漏斗状のテーパ部２１ａとなっており、それよりも下端側は、該下端まで内径が略一定の小径部２１ｂとなっている。小径部２１ｂの内径は、テーパ部２１ａの下端部（内径が最も小さくなっている部分）の内径と略同等となっている。該テーパ部２１ａと小径部２１ｂとは略同軸状に連なっている。周壁部２１の上端から下端側へ１０〜５０ｍｍ特に２０〜３０ｍｍの範囲がテーパ部２１ａとなっていることが好ましい。テーパ部２１ａの上端部には外向き鍔状のフランジ部２１ｃが周設されている。
【００３６】
周壁部２１の外周側には、後述の導水筒４１が挿入される筒状の張出部２１ｄが一体的に形成されている。この張出部２１ｄは、その筒軸心線方向を周壁部２１の筒軸心線方向と略平行方向として周壁部２１の外周面に沿って延設されている。フランジ部２１ｃには、該フランジ部２１ｃを上下方向に貫通した開口２１ｅ（第１３図）が設けられており、張出部２１ｄの上端は、この開口２１ｅの周縁部に下方から連なっている。この張出部２１ｄの下端のレベルは、小径部２１ｂの下端と略同レベルとなっている。この張出部２１ｄの下端側は下方に向って開放している。この実施の形態では、周壁部２１に２個の張出部２１ｄが設けられており、これらの張出部２１ｄは、該周壁部２１の軸心を挟んで反対側にそれぞれ配設されている。これらの張出部２１ｄの上端側はそれぞれ開口２１ｅを介してフランジ部２１ｃの上面側に開放している。なお、張出部２１ｄの個数及び配置はこれに限定されない。張出部２１ｄは、導水筒４１と同数個設けられ、且つそれらに導水筒４１がそれぞれ挿入される位置関係にて配設される。
【００３７】
フランジ部２１ｃの上面側には、導水筒４１を通って来た浴槽排水を受入室２０内に略接線方向に流出させるための吐水部２１ｆが一体的に形成されている。この吐水部２１ｆは、フランジ部２１ｃの上面から上方へ突出状に形成され、内部に浴槽排水導入路２１ｇが形成されている。この吐水部２１ｆは、周壁部２１の内周面に沿って該周壁部２１の周方向に延在している。この吐水部２１ｆのうち周壁部２１の内周側の外面は、前記テーパ部２１ａの内周面と連続した湾曲面となっている。第１３図の通り、この吐水部２１ｆは、張出部２１ｄと同数個（即ちこの実施の形態では２個）設けられ、且つそれぞれフランジ部２１ｃを挟んで各張出部２１ｄの上方に位置するように配設されており、各張出部２１ｄの上端側の開口２１ｅがそれぞれ各吐水部２１ｆの浴槽排水導入路２１ｇ内に連通している。
【００３８】
各吐水部２１ｆの周方向の一端側の端面に吐水口２１ｈ（第２，７図）が形成されており、各吐水部２１ｆ内の浴槽排水導入路２１ｇは、この吐水口２１ｈに連なっている。この吐水口２１ｈから周壁部２１の内周面の略接線方向に浴槽排水が吐出される。この実施の形態では、該吐水口２１ｈは、各吐水部２１ｆのうち、受入室２０を上方から見たときの反時計方向側の端面に設けられている。これにより、該吐水口２１ｈから浴槽排水が吐出された場合には、この吐出水の水勢によって受入室２０内に該反時計方向の旋回流が形成されるようになる。なお、各吐水部２１ｆのうち、受入室２０を上方から見たときの時計方向側の端面に吐水口２１ｈを設けてもよい。この場合、受入室２０内には、該吐水口２１ｈからの吐出水の水勢により、該時計方向の旋回流が形成されるようになる。以下、時計方向及び反時計方向とは、受入室２０を上方から見たときの時計方向及び反時計方向をいう。
【００３９】
第１１図の通り、この実施の形態では、各吐水部２１ｆは、浴槽排水流入口１２から受入室２０内に差し込まれたヘアキャッチャー１７を所定高さに支持する支持部材としても機能するように構成されている。即ち、この実施の形態では、ヘアキャッチャー１７の側周面は、下端側ほど外径が小さくなるテーパ形状となっており、各吐水部２１ｆの周壁部２１内周側の外面に沿う形状となっている。かかる構成は、ヘアキャッチャー１７の容積を、上下方向に制限がある中で少しでも大きくする効果がある。
【００４０】
ヘアキャッチャー１７の上端部には、放射方向に張り出すフランジ部１７ａが周設されている。このフランジ部１７ａの外径は、前記結合フランジ１３の内径と同等かそれよりも若干小さいものとなっている。第１１図の通り、ヘアキャッチャー１７を、該フランジ部１７ａの上面が結合フランジ１３の上面と略面一となるまで受入室２０内に差し込み、該フランジ部１７ａを結合フランジ１３の内周面に設けられた係止部１３ｄ（第２図）に係合させると、各吐水部２１ｆの周壁部２１内周側の外面がヘアキャッチャー１７の側周面に当接し、ヘアキャッチャー１７が各吐水部２１ｆによって支持されるようになる。このヘアキャッチャー１７は、その下端が受入室２０内の封水面（この実施の形態では、後述のハウジング２５の底面の棚状部２５ｑのレベル）よりも若干上方に位置するように各吐水部２１ｆによって支持される。ヘアキャッチャー１７のフランジ部１７ａと結合フランジ１３の係止部１３ｄとの係合及び係合解除は、ヘアキャッチャー１７を受入室２０内に差し込んだ後、該ヘアキャッチャー１７を正・逆方向に回転することにより行われる回転ロック式となっている。ヘアキャッチャー１７のフランジ部１７ａが結合フランジ１３の係止部１３ｄに係合することにより、ヘアキャッチャー１７は、受入室２０内に形成された旋回流によって上方に押されても浮き上がらないように、該結合フランジ１３に係止される。
【００４１】
封水室２３は、ハウジング２５によって取り囲まれている。このハウジング２５は、底面部２５ｂと、該底面部２５ｂの周縁部から立設された側壁部２５ｃ，２５ｄ，２５ｅ，２５ｆと、該側壁部２５ｃ，２５ｄ，２５ｅ，２５ｆによって囲まれた空間を上方から塞ぐ天井部２５ｇとを有している。この実施の形態では、側壁部２５ｃがハウジング２５の浴槽側（上流側）に位置し、側壁部２５ｅがこれと反対側（下流側）に位置し、側壁部２５ｄ，２５ｆが該側壁部２５ｃ，２５ｅの幅方向（該側壁部２５ｃ，２５ｅの高さ方向及び厚み方向と直交方向）の一端側同士及び他端側同士をそれぞれ繋いでいる。天井部２５ｇの周縁部は、該側壁部２５ｃ，２５ｄ，２５ｅ，２５ｆの上端部に係合している。
【００４２】
このハウジング２５の天井部２５ｇに、前記洗い場排水受入口１１を構成する開口２５ａが設けられており、この開口２５ａから該ハウジング２５内に周壁部２１がその筒軸心線方向を上下方向として挿入されている。このハウジング２５の底面部２５ｂ、側壁部２５ｃ，２５ｄ，２５ｅ，２５ｆ及び天井部２５ｇの内面と周壁部２１の外周面との間が封水室２３となっている。
【００４３】
開口２５ａの内周縁に筒状部２５ｈが連なっている。この筒状部２５ｈの内周面には雌ねじ２５ｉが周設されている。筒状部２５ｈの下端部には、内向き鍔状のフランジ部２５ｊが周設されている。この開口２５ａ及び筒状部２５ｈの内径は、周壁部２１のフランジ部２１ｃの外径よりも大きなものとなっている。また、この筒状部２５ｈの下端側のフランジ部２５ｊの内径は、張出部２１ｄを含む周壁部２１の外径よりも若干大きく、且つ該周壁部２１のフランジ部２１ｃの外径よりも小さなものとなっている。このフランジ部２５ｊの内周側に周壁部２１が挿抜可能に挿入され、該フランジ部２５ｊに周壁部２１のフランジ部２１ｃが、図示しないパッキンを介して重なっている。第１１，１２図の通り、周壁部２１がこのようにしてハウジング２５内にセットされた状態において、該周壁部２１の下端は封水室２３の底面（底面部２５ｂの上面）から上方に離隔している。この周壁部２１の下端と封水室２３の底面との間の隙間は１０〜２０ｍｍ特に１０〜１２ｍｍ程度であることが好ましい。
【００４４】
前記結合フランジ１３は、洗い場排水口の縁部に上方から重なる環状のフランジ部１３ａと、上端部が該フランジ部１３ａの内周縁に連なる筒状部１３ｂとを有している。該筒状部１３ｂの外周面には雄ねじ１３ｃ（第１２図）が周設されている。洗い場排水口及び開口２５ａを介して筒状部２５ｈに結合フランジ１３の筒状部１３ｂが上方から螺じ込まれて雄ねじ１３ｃと雌ねじ２５ｉとが螺合し、この結合フランジ１３のフランジ部１３ａとハウジング２５の天井部２５ｇとによって洗い場排水口の縁部が挟持され、これによりハウジング２５が排水枡の底部に連結されている。なお、周壁部２１のフランジ部２１ｃの外径は、この結合フランジ１３の内径よりも小さなものとなっている。
【００４５】
ハウジング２５の底面部２５ｂには、該ハウジング２５内において前記浴槽排水流路３０及び導入流路５０を形成するための流路形成溝２６が設けられている。この実施の形態では、該流路形成溝２６は、底面部２５ｂの上面から凹設された凹溝よりなる。この流路形成溝２６は、受入室２０の下方を通って底面部２６ｂの上流側から下流側まで延設されている。ハウジング２５の上流側の側壁部２５ｃの下端には浴槽排水流入口２５ｋが設けられており、この浴槽排水流入口２５ｋに流路形成溝２６の上流側が連なっている。この浴槽排水流入口２５ｋには、ハウジング２５の外部側から前記配管１６の下流側が接続されている。
【００４６】
即ち、この実施の形態では、前記排水ソケット１５の浴槽排水流路形成部１５ｄ、配管１６並びに流路形成溝２６によって前記浴槽排水流路３０が構成されている。
【００４７】
この実施の形態では、流路形成溝２６内は、その底面から立設された１対の仕切壁２７，２７によって３個の流路に区画されている。仕切壁２７，２７同士は、流路形成溝２６の幅方向に互いに間隔をあけて配置されている。また、流路形成溝２６の両側面と、これに対向する各仕切壁２７との間もそれぞれ間隔があいている。この実施の形態では、流路形成溝２６内のうち、該仕切壁２７，２７同士の間がハウジング２５内における前記浴槽排水流路３０となっており、該流路形成溝２６の両側面と、これに対向する各仕切壁２７との間がそれぞれ前記導入流路５０となっている。なお、導入流路５０の個数及び配置はこれに限定されるものではなく、導入流路５０は１個だけ又は３個以上設けられてもよい。この実施の形態では、浴槽排水流路３０の両側にそれぞれ導入流路５０が配設されているが、導入流路５０の両側にそれぞれ浴槽排水流路３０が配設されてもよい。浴槽排水流路３０及び導入流路５０は、それぞれ、その延在方向の途中部で２個以上の流路に分岐してもよい。
【００４８】
各仕切壁２７は、流路形成溝２６の上流側から受入室２０の下方領域まで延在している。各仕切壁２７の下流側にはそれぞれ閉鎖ブロック２７ａが連なっている。各閉鎖ブロック２７ａは、各仕切壁２７の下流側と、これに対向する流路形成溝２６の両側面との間をそれぞれ閉鎖している。これにより、各導入流路５０は、浴槽排水流路３０の両側において、それぞれ底面部２５ｂの上流側から受入室２０の下方領域まで延在したものとなっている。第６図の通り、各閉鎖ブロック２７ａの各導入流路５０内に臨む側面は、各導入流路５０の底面と滑らかに連なるスロープ状の湾曲面となっている。各導入流路５０の上流側（流路形成溝２６の両側面と、これに対向する各仕切壁２７の上流側との間）は、それぞれ浴槽排水流入口２５ｋに開放している。また、仕切壁２７，２７同士の間の浴槽排水流路３０の上流側も、該浴槽排水流入口２５ｋに開放している。浴槽排水流路３０は、仕切壁２７，２７同士の間を通り抜けて底面部２５ｂの下流側まで延在している。
【００４９】
流路形成溝２６の両側面と、これに対向する各仕切壁２７との間の間隔（各導入流路５０の幅）は、それぞれ１０〜５０ｍｍ特に１０〜３０ｍｍであることが好ましい。仕切壁２７，２７同士の間隔（ハウジング２５内における浴槽排水流路３０の上流側の幅）は１０〜５０ｍｍ特に２０〜３０ｍｍであることが好ましい。各仕切壁２７同士の間よりも下流側における流路形成溝２６の幅（ハウジング２５内における浴槽排水流路３０の下流側の幅）は１０〜５０ｍｍ特に２０〜３０ｍｍであることが好ましい。
【００５０】
この流路形成溝２６を上方から覆蓋するように流路カバー２８が取り付けられている。この流路カバー２８により、封水室２３と各流路３０，５０とが分画されている。第５，９図の通り、この流路カバー２８は、流路形成溝２６の全長にわたって延設されている。この流路カバー２８の上流側の端縁はハウジング２５の上流側の側壁部２５ｃに連なり、下流側の端縁はハウジング２５の下流側の側壁部２５ｅに連なっている。各仕切壁１７の上端は、この流路カバー２８の下面に当接している。
【００５１】
この流路カバー２８は、第３〜５，１０〜１３図の通り、その上面が底面部２５ｂの上面と略面一状となるように設置されている。詳しくは、第１１〜１３図の通り、底面部２５ｂの上面と流路形成溝２６の両側面との角部には、それぞれ該底面部２５ｂの上面よりも低くなった凹段部（符号略）が形成されており、この凹段部に流路カバー２８の両側縁部が係合している。この凹段部の深さは流路カバー２８の厚さと略同等となっている。流路カバー２８の両側縁部からそれぞれ係合片２８ａが下方へ突設されており、該凹段部に凹設された係合溝２５ｍにこの係合片２８ａが係合している。また、流路カバー２８の下面からは、この係合片２８ａとそれぞれ対向するように、流路形成溝２６内に入り込む垂下片２８ｂが下方へ突設されており、この垂下片２８ｂが流路形成溝２６の両側面にそれぞれ重なっている。第１０図の通り、流路形成溝２６の両側面と前述の各閉鎖ブロック２７ａとの間には、それぞれ、この垂下片２８ｂを受け入れた溝部２５ｎが設けられている。この流路カバー２８の下面と流路形成溝２６の底面との間の間隔（ハウジング２５内における浴槽排水流路３０及び各導入流路５０の高さ）は１０〜２０ｍｍ特に１０〜１２ｍｍであることが好ましい。
【００５２】
この実施の形態では、受入室２０の下方において、流路カバー２８に、浴槽排水流路３０内に連通する開口２８ｃが設けられている。この開口２８ｃは、略円形であり、周壁部２１と略同心状に配置されている。なお、開口２８ｃの形状及び配置はこれに限定されない。
【００５３】
流路カバー２８には、この開口２８ｃに隣接して、浴槽排水流路３０の両側の各導入流路５０の下流側にそれぞれ連通する１対の浴槽排水導入口２９，２９が設けられている。この実施の形態では、これらの浴槽排水導入口２９，２９同士は、開口２８ｃの中心を挟んで流路形成溝２６の幅方向と略平行方向に対向するように配設されている。これらの浴槽排水導入口２９，２９は、排水トラップ１０を平面視した状態において、ハウジング２５の上部の前記フランジ部２５ｊの内周縁よりも内側に配置されている。なお、浴槽排水導入口２９の個数及び配置はこれに限定されない。
【００５４】
流路カバー２８の上面には、該開口２８ｃ及び浴槽排水導入口２９，２９を一体的に覆った略円形の蓋プレート６０が取り付けられている。この蓋プレート６０の外径は、ハウジング２５の上部のフランジ部２５ｊの内径よりも小さいものとなっている。この蓋プレート６０の下面の中央部から凸部６１が突設されており、この凸部６１が開口２８ｃに内嵌している。この凸部６１は、外径が開口２８ｃの内径よりも若干小さい略円形の平面視形状となっており、蓋プレート６０と略同心状に形成されている。この蓋プレート６０の該凸部６１よりも外周側が開口２８ｃの周囲の流路カバー２８の上面に、図示しないパッキンを介して重なり、各浴槽排水導入口２９を覆っている。
【００５５】
この蓋プレート６０の該凸部６１よりも外周側に、各浴槽排水導入口２９にそれぞれ重なる連通口６２，６２が設けられている。これらの連通口６２は、蓋プレート６０を上下方向に貫通している。各連通口６２の周縁部からそれぞれ上方へ向って、前記導水部材４０を構成する導水筒４１が突設されている。これらの導水筒４１，４１同士は、蓋プレート６０の中心を挟んで互いに反対側に配設されている。第１１〜１３図の通り、各導水筒４１内には、それぞれ、下端側が各連通口６２に連なり、上端側が各導水筒４１の上端面に開放した浴槽排水導入路４１ａが形成されている。この浴槽排水導入路４１ａの下端側は、各連通口６２及び浴槽排水導入口２９を介して各導入流路５０に連通している。なお、各導水筒４１は、この実施の形態では蓋プレート６０と一体的に形成されているが、蓋プレート６０と別体に形成されて各浴槽排水導入口２９に着脱可能に連結されてもよい。
【００５６】
第１１，１２図の通り、各導水筒４１の上端側は、周壁部２１の外周側の各張出部２１ｄ内に挿入されている。これにより、各導水筒４１の浴槽排水導入路４１ａの上端側は、各張出部２１ｄの上端側の開口２１ｅを介して各吐水部２１ｆの浴槽排水導入路２１ｇに連通している。
【００５７】
この実施の形態では、これらの導水筒４１、張出部２１ｄ及び吐水部２１ｆにより導水部材４０が構成されている。
【００５８】
第８図の通り、蓋プレート６０の外周側の端縁から放射方向に複数個の係止片６３が突設されている。なお、この実施の形態では、該蓋プレート６０の周方向に略等間隔にて４個の係止片６３が設けられているが、係止片６３の個数及び配置はこれに限定されない。第１０図の通り、開口２８ｃ及び各浴槽排水導入口２９の周囲の流路カバー２８の上面には、各係止片６３と対応する位置関係にて複数個のフック部２８ｄが設けられており、各係止片６３がこのフック部２８ｄに係合することにより、蓋プレート６０が流路カバー２８の上面に着脱可能に取り付けられている。この係止片６３とフック部２８ｄとの係合及び係合解除は、それぞれ、凸部６１を開口２８ｃに内嵌させた状態で蓋プレート６０を流路カバー２８の上面に沿って正・逆方向に回転させることにより行われる。
【００５９】
第３〜６，９図の通り、ハウジング２５の底面部２５ｂのうち周壁部２１の下方領域よりも下流側の領域は、該周壁部２１から離隔するほど上位となる立上部２５ｐとなっている。この立上部２５ｐの上端のレベルは、周壁部２１の下端よりも上位となっている。流路形成溝２６の下流側も、この立上部２５ｐに沿って、該下流側ほど上位となるように延在している。立上部２５ｐの上端には、さらに下流側に向って略水平に延在した棚状部２５ｑが連なっている。流路形成溝２６の下流側は、この棚状部２５ｑとハウジング２５の下流側の側壁部２５ｅとのコーナー部まで延在している。この棚状部２５ｑ上における流路形成溝２６の底面のレベルは、周壁部２１の下方領域における流路カバー２８のレベルよりも上位となっている。
【００６０】
第３〜６，９図の通り、ハウジング２５の下流側の側壁部２５ｅに開口２５ｒが設けられており、この開口２５ｒに略円筒状の前記合流流出口１４が連なっている。この開口２５ｒの下縁のレベルは、棚状部２５ｑ上における流路形成溝２６の底面と略同レベルとなっている。また、この開口２５ｒの上縁のレベルは、棚状部２５ｑの上面よりも上位となっている。
【００６１】
この開口２５ｒの下部に流路形成溝２６の下流側が臨んでおり、この流路形成溝２６の上面を塞いだ流路カバー２８によって開口２５ｒが上下に分画されている。この開口２５ｒのうち、該流路カバー２８よりも下側部分が、流路形成溝２６内の浴槽排水流路３０に連通した前記第３流出口３１となっており、該流路カバー２８よりも上側部分が、封水室２３内に連通した前記第２流出口２４となっている。
【００６２】
このように構成された排水トラップ１０の作動について次に説明する。
【００６３】
洗い場パンからの排水は、排水枡及び洗い場排水受入口１１を通って受入室２０に流入し、この受入室２０から第１流出口２２を通って封水室２３に流入する。この際、該第１流出口２２からの流出水は、周壁部２１の下端とその下方の封水室２３の底面（この実施の形態では、受入室２０の下方領域に配設された流路カバー２８及びその上面に取り付けられた蓋プレート６０の上面）との間の隙間を通って封水室２３に流入する。この封水室２３内の水は、第２流出口２４及び合流流出口１４を通って排水管に流出する。この洗い場排水の流出が停止すると、封水室２３内には、棚状部２５ｑのレベルまで封水が残る。この封水に周壁部２１の下端が没するので、排水管の臭気が洗い場排水受入口１１から浴室内に逆流することが防止される。
【００６４】
浴槽からの排水は、浴槽排水口から浴槽パン排水口を介して浴室排水流入口１２に流れ落ちて浴槽排水流路３０に流入し、この浴槽排水流路３０、第３流出口３１及び合流流出口１４を通って排水管に流出する。この際、該浴槽排水流路３０を流れる水の一部は、該浴槽排水流路３０の途中で各導入流路５０に流入し、各導入流路５０を流れて各浴槽排水導入口２９から各導水部材４０の導水筒４１内に流入し、次いで、該導水筒４１内、開口２１ｅ及び吐水部２１ｆ内を流れて各吐水口２１ｈから受入室２０内の上部に流出する。
【００６５】
この際、各吐水口２１ｈから水が受入室２０内へ周壁部２１の内周面の略接線方向に流出するため、その水勢により受入室２０内の上部に旋回流が形成されるようになる。そして、この水の流入により受入室２０内の水位が上昇し、ヘアキャッチャー１７あるいはさらに排水枡が旋回流に浸水した状態となる。これにより、排水枡の内面やヘアキャッチャー１７に付着しているゴミがこすり落とされて、髪の毛等のゴミは渦の中心に集められ、ヘアキャッチャー１７の底面中央部に集められる。これにより、排水枡の内面やヘアキャッチャー１７の内外面が浄化され、ヌメリ等が除去される。また、ヘアキャッチャー１７内のゴミを摘んで捨てることができるようになる。
【００６６】
この実施の形態では、周壁部２１の上部が、該周壁部２１の下端側ほど内径が小さくなるテーパ部２１ａとなっているので、水がこのテーパ部２１ａの内周面に沿って旋回しながら受入室２０の下部側へ流れ落ちる場合、該受入室２０の下部側ほど、この水の旋回流の流速が大きくなる。これにより、受入室２０内の旋回流の水勢が増幅され、受入室２０内に強力な旋回流が形成されるようになる。
【００６７】
受入室２０内で旋回している水の一部は、該受入室２０の下部の第１流出口２２を通って封水室２３に流入する。その後、この封水室２３内の水は、第２流出口２４及び合流流出口１４を通って排水管に流出する。浴槽排水の流出が停止すると、浴槽排水流路３０内には棚状部２５ｑ上における流路形成溝２６の底面のレベルまで封水が残り、この封水によって浴槽排水流路３０が封鎖されるため、排水管の臭気が浴槽排水流入口１２から浴室内に逆流することが防止される。
【００６８】
なお、浴槽排水が合流流出口１４を通って排水管に流出するのに伴い、封水室２３内に負圧が生じて該封水室２３内の封水が合流流出口１４に吸い出されることがあるが、導水部材４０から受入室２０内に浴槽排水流路３０の水の一部が流入することにより封水室２３内に封水が補給されるため、該封水室２３内で封水切れすることが防止される。
【００６９】
次に、この排水トラップ１０の清掃やメンテナンスを行う際の手順について説明する。
【００７０】
排水トラップ１０を清掃又はメンテナンスする場合、まず、排水枡のカバーを外し、洗い場排水受入口１１から周壁部２１を引き抜く。この際、第１３図に示すように、周壁部２１と一体的に導水部材４０の各吐水部２１ｆが取り外される。また、周壁部２１の各張出部２１ｄからそれぞれ導水筒４１が抜け出し、各導水筒４１がハウジング２５内に残る。次に、洗い場排水受入口１１からハウジング２５内に手や工具を挿入し、各導水筒４１を掴んで蓋プレート６０を回転させ、各係止片６３とフック部２８ｄとの係合を解除する。その後、各導水筒４１及び蓋プレート６０を一体的に洗い場排水受入口１１からハウジング２５外に取り出す。
【００７１】
その後、洗い場排水受入口１１からハウジング２５内に清掃用具や工具を挿入して該ハウジング２５内の清掃やメンテナンスを行ったり、さらには開口２８ｃから浴槽排水流路３０内に、あるいは各浴槽排水導入口２９から各導入流路５０内に清掃用具や工具を挿入して該浴槽排水流路３０内及び各導入流路５０の清掃やメンテナンスを行う。また、取り外した周壁部２１、各吐水部２１ｆ、張出部２１ｄ、各導水筒４１及び蓋プレート６０の清掃やメンテナンスを行う。
【００７２】
このように周壁部２１、各吐水部２１ｆ、張出部２１ｄ、各導水筒４１及び蓋プレート６０をハウジング２５内から取り外して清掃やメンテナンスを行うことにより、これらを容易に且つ入念に清掃したりメンテナンスすることができる。また、これらを取り外すことにより、ハウジング２５内、浴槽排水流路３０内及び各導入流路５０内も容易に且つ入念に清掃したりメンテナンスすることができる。
【００７３】
清掃やメンテナンス終了後、上記の取り外し手順とは逆の手順にて、蓋プレート６０を洗い場排水受入口１１からハウジング２５内に挿入して開口２８ｃに装着し、次いで、各張出部２１ｄに各導水筒４１を挿入しつつ、周壁部２１を洗い場排水受入口１１からハウジング２５内に差し込む。その後、排水枡にカバーを装着して作業を完了する。
【００７４】
この排水トラップ１０の作用効果は以下の通りである。
【００７５】
この排水トラップ１０にあっては、浴槽排水流路３０とは別個に、浴槽排水を各導水部材４０に導く導入流路５０を受入室２０及び封水室２３の下側に設けている。そのため、浴槽排水の一部が各導入流路５０及び導水部材４０を介して受入室２０の上部に流出し、該受入室２０の上部に旋回流が効率よく形成される。
【００７６】
この実施の形態では、導入流路５０及び導水部材４０を２個ずつ設け、各導入流路５０から各導水部材４０にそれぞれ浴槽排水を導くようにしているので、各導水部材４０から均等に浴槽排水を流出させることができる。また、この２個の導水部材４０を受入室２０の周方向に略等間隔にて配設しているので、この受入室２０内の旋回方向における旋回流の流速分布がムラの小さいものとなる。
【００７７】
この実施の形態では、浴槽排水流路３０の両側にそれぞれ導入流路５０を設けているので、浴槽排水流路３０に流入した浴槽排水を各導入流路５０に分岐させて効率よく各導水部材４０に導くことができる。
【００７８】
［第２の実施の形態］
第１４図は第２の実施の形態に係る排水トラップの斜視図、第１５図はこの排水トラップの封水室天井部を取り外した状態を示す斜視図、第１６図は第１５図からさらに周壁部を取り外した状態を示す斜視図、第１７図はこの排水トラップの導水筒及び蓋プレートの上方からの斜視図、第１８図はこの導水筒及び蓋プレートの下方からの斜視図、第１９図は第１６図からさらに導水筒及び蓋プレートを取り外した状態を示す斜視図、第２０図は第１９図からさらに流路カバーを取り外した状態を示す斜視図、第２１図は第２０図の状態における排水トラップの平面図、第２２図は第１４図のXXII−XXII線に沿う断面図、第２３図は第２２図のXXIII−XXIII線に沿う断面図である。
【００７９】
この実施の形態の排水トラップ１０Ａにおいては、受入室２０を取り囲む周壁部２１Ａは、その上端側から下端側まで内径が略一定となっており、該受入室２０の下方に設置された蓋プレート６０の上面からこの周壁部２１Ａの内側に導水部材４０Ａの導水筒４１Ａが立設されている。第１５図の通り、この実施の形態でも、蓋プレート６０の上面から周壁部２１Ａの周方向に間隔をあけて２個の導水筒４１Ａが立設されている。
【００８０】
この実施の形態では、各導水筒４１Ａは、その上端面の全体が天井部（符号略）によって閉鎖されており、各導水筒４１Ａの上端部の側面に、それぞれ、周壁部２１Ａの内周面の略接線方向に開放した吐水口４２が設けられている。この実施の形態では、各導水筒４１Ａの上端部の反時計方向側の側面にそれぞれ吐水口４２が設けられており、各吐水口４２からの吐出水の水勢により、受入室２０内に反時計方向の旋回流が形成されるようになっている。なお、各導水筒４１Ａの上端部の時計方向側の側面にそれぞれ吐水口４２を設け、各吐水口４２からの吐出水の水勢により、受入室２０内に時計方向の旋回流が形成されるように構成してもよい。
【００８１】
前述の実施の形態では、流路形成溝２６内を浴槽排水流路３０と各導入流路５０とに区画する仕切壁２７は、該流路形成溝２６の底面から立設されているが、この実施の形態では、第１８〜２０，２３図の通り、この仕切壁２７は、蓋プレート６０の下面から下方へ突設されたものとなっている。以下に、この蓋プレート６０の構成について詳細に説明する。
【００８２】
この実施の形態では、第１９，２３図の通り、受入室２０の下方の流路カバー２８には、浴槽排水流路３０及びその両側の各導入流路５０の双方に連通する大径の開口２８ｅが設けられている。この実施の形態でも、開口２８ｅは、略円形であり、周壁部２１Ａと略同軸状に配置されている。なお、開口２８ｅの形状及び配置はこれに限定されない。蓋プレート６０は、この開口２８ｅよりも大径の略円板形状であり、その下面から突設された凸部６１が該開口２８ｅに内嵌し、それよりも外周側が全周にわたって該開口２８ｅの周囲の流路カバー２８の上面に、図示しないパッキンを介して重なっている。この実施の形態でも、蓋プレート６０は、その外周縁から突設された係止片６３が流路カバー２８の上面のフック部２８ｄに係合することにより、該流路カバー２８の上面に着脱可能に取り付けられている。
【００８３】
この実施の形態では、第１８図の通り、蓋プレート６０の凸部６１の下面から、該蓋プレート６０の径方向に間隔をおいて１対の仕切壁２７，２７が下方へ突設されている。これらの仕切壁２７，２７は、それぞれ、該蓋プレート６０を平面視した状態において、その延在方向の一端側から途中部までが該蓋プレート６０の下面の弦方向に互いに略平行に延在しており、該途中部から他端側が該蓋プレート６０の外周側へ向って互いに離反するように延在した略Ｌ字形状となっている。各仕切壁２７の両端側は、それぞれ、凸部６１の下面の外周縁まで延在している。以下、各仕切壁２７のうち該一端側から該途中部までを弦方向延在部２７ｓといい、該途中部から該他端側までを径方向延在部２７ｒという。
【００８４】
蓋プレート６０が係止片６３及びフック部２８ｄを介して流路カバー２８の上面に固定された状態にあっては、各仕切壁２７は、弦方向延在部２７ｓが流路形成溝２６の上流側から下流側に向って延在し、径方向延在部２７ｒが該弦方向延在部２７ｓの下流側から流路形成溝２６の両側面に向って延在した姿勢で該流路形成溝２６内に配置されている。凸部６１の下面からの各仕切壁２７の突出高さは、該凸部６１の下面と流路形成溝２６の底面との間隔と同等かそれよりも若干小さいものとなっている。各仕切壁２７の弦方向延在部２７ｓの上流側と流路形成溝２６の両側面との間はそれぞれハウジング２５の浴槽排水流入口２５ｋに向って開放しており、弦方向延在部２７ｓの下流側と流路形成溝２６の両側面との間はそれぞれ径方向延在部２７ｒによって閉鎖されている。各仕切壁２７の弦方向延在部２７ｓ同士の間は、該浴槽排水流入口２５ｋと流路形成溝２６の下流側とに向って開放している。
【００８５】
各仕切壁２７の弦方向延在部２７ｓ同士の間が、浴槽排水流入口２５ｋからこれらの間を通り抜けて流路形成溝２６の下流側即ち第３流出口３１まで延在した浴槽排水流路３０となっており、浴槽排水流路２６の両側面とこれに対向する各仕切壁２７の弦方向延在部２７ｓとの間が、それぞれ、浴槽排水流入口２５ｋから該浴槽排水流路３０の両側を通って受入室２０の下方領域まで延在した１対の導入流路５０，５０となっている。
【００８６】
流路形成溝２６の両側面と、これに対向する各仕切壁２７の弦方向延在部２７ｓとの間の間隔（各導入流路５０の幅）は、それぞれ１０〜５０ｍｍ特に１０〜３０ｍｍであることが好ましい。各仕切壁２７の弦方向延在部２７ｓ同士の間隔（ハウジング２５内における浴槽排水流路３０の上流側の幅）は１０〜５０ｍｍ特に２０〜３０ｍｍであることが好ましい。
【００８７】
この実施の形態でも、第１８図の通り、蓋プレート６０には、浴槽排水流路２６の幅方向に間隔をあけて、該蓋プレート６０を上下方向に貫通する２個の浴槽排水導入口２９，２９が設けられている。各浴槽排水導入口２９は、該蓋プレート６０のうち各仕切壁２７によって取り囲まれた領域、即ち各導入流路５０の天井部をそれぞれ上下方向に貫通している。これにより、各浴槽排水導入口２９は、それぞれ各導入流路５０内に連通したものとなっている。
【００８８】
第１７，１８，２３図の通り、各導水筒４１Ａの下端がそれぞれ各浴槽排水導入口２９の周縁部に連なっており、各導水筒４１Ａ内の浴槽排水導入路４１ａは、各浴槽排水導入口２９を介して各導入流路５０内に連通している。なお、この実施の形態でも、各導水筒４１Ａは、蓋プレート６０と一体的に形成されているが、蓋プレート６０と別体に形成されて各浴槽排水導入口２９に着脱可能に連結されてもよい。
【００８９】
この排水トラップ１０Ａのその他の構成は、前述の第１の実施の形態における排水トラップ１０と同様であり、第１４〜２３図において第１〜１３図と同一符号は同一部分を示している。
【００９０】
この排水トラップ１０Ａにあっても、浴槽からの排水は、浴槽排水口から浴槽パン排水口を介して浴室排水流入口１２に流れ落ちて浴槽排水流路３０に流入し、この浴槽排水流路３０、第３流出口３１及び合流流出口１４を通って排水管に流出する。この際、該浴槽排水流路３０を流れる水の一部は、該浴槽排水流路３０の途中で各導入流路５０に流入し、各導入流路５０を流れて各浴槽排水導入口２９から各導水部材４０Ａの導水筒４１Ａ内に流入し、各導水筒４１Ａの上端側の吐水口４２から受入室２０内の上部に流出する。
【００９１】
この際、各吐水口４２から水が受入室２０内へ周壁部２１Ａの内周面の略接線方向に流出するため、その水勢により受入室２０内の上部に旋回流が形成されるようになる。そして、この水の流入により受入室２０内の水位が上昇し、ヘアキャッチャー１７あるいはさらに排水枡が旋回流に浸水した状態となる。これにより、排水枡の内面やヘアキャッチャー１７に付着しているゴミがこすり落とされて、髪の毛等のゴミは渦の中心に集められ、ヘアキャッチャー１７の底面中央部に集められる。これにより、排水枡の内面やヘアキャッチャー１７の内外面が浄化され、ヌメリ等が除去される。また、ヘアキャッチャー１７内のゴミを摘んで捨てることができるようになる。なお、第１４図の符号１７ｂは、このヘアキャッチャー１７を着脱する際に作業者が把持する把持部を示している。
【００９２】
この実施の形態でも、導入流路５０及び導水部材４０Ａを２個ずつ設け、各導入流路５０から各導水部材４０Ａにそれぞれ浴槽排水を導くようにしているので、各導水部材４０Ａから均等に浴槽排水を流出させることができる。また、この２個の導水部材４０Ａを受入室２０の周方向に略等間隔にて配設しているので、この受入室２０内の旋回方向における旋回流の流速分布がムラの小さいものとなる。
【００９３】
受入室２０内で旋回している水の一部は、該受入室２０の下部の第１流出口２２を通って封水室２３に流入する。その後、この封水室２３内の水は、第２流出口２４及び合流流出口１４を通って排水管に流出する。浴槽排水の流出が停止すると、浴槽排水流路３０内には棚状部２５ｑの上面のレベルまで封水が残り、この封水によって浴槽排水流路３０が封鎖されるため、排水管の臭気が浴槽排水流入口１２から浴室内に逆流することが防止される。
【００９４】
この排水トラップ１０Ａのその他の作動及び作用効果は、第１の実施の形態の排水トラップ１０と同様である。
【００９５】
この排水トラップ１０Ａの掃除やメンテナンスを行う場合、まず、排水枡のカバーを外し、洗い場排水受入口１１から周壁部２１Ａを引き抜く。次に、洗い場排水受入口１１からハウジング２５内に手や工具を挿入し、各導水筒４１Ａを掴んで蓋プレート６０を回転させ、各係止片６３とフック部２８ｄとの係合を解除する。その後、各導水筒４１Ａ、蓋プレート６０及び各仕切壁２７を一体的に洗い場排水受入口１１からハウジング２５外に取り出す。
【００９６】
その後、洗い場排水受入口１１からハウジング２５内に掃除用具や工具を挿入して該ハウジング２５内の掃除やメンテナンスを行ったり、さらには開口２８ｅから流路形成溝２６内に掃除用具や工具を挿入して該流路形成溝２６内の掃除やメンテナンスを行う。また、取り外した周壁部２１Ａ、各導水筒４１Ａ、蓋プレート６０及び各仕切壁２７の掃除やメンテナンスを行う。
【００９７】
清掃やメンテナンス終了後、上記の取り外し手順とは逆の手順にて、蓋プレート６０を洗い場排水受入口１１からハウジング２５内に挿入して開口２８ｅに装着し、次いで、周壁部２１Ａを洗い場排水受入口１１からハウジング２５内に差し込む。その後、排水枡にカバーを装着して作業を完了する。
【００９８】
この排水トラップ１０Ａにあっては、受入室２０の下方において、該受入室２０及び封水室２３の底面板を構成する流路カバー２８に開口２８ｅを設け、この開口２８ｅに蓋プレート６０を着脱可能に設けている。この蓋プレート６０を開けることにより、該開口２８ｅを通して流路形成溝２６内（即ち浴槽排水流路３０内及び各導入流路５０内）を清掃したりメンテナンスすることができる。
【００９９】
また、この蓋プレート６０に、浴槽排水流路３０と各導入流路５０とを区画する仕切壁２７が設けられているので、蓋プレート６０を取り外して各仕切壁２７を容易に且つ十分に清掃したりメンテナンスすることができる。これにより、浴槽排水流路３０及び各導入流路５０の詰まりを防止することができる。
【０１００】
この実施の形態では、導水部材４０Ａも蓋プレート６０と一体的に設けられている。また、周壁部２１Ａは、洗い場排水受入口１１からハウジング２５内に挿抜可能に挿入されている。これにより、該周壁部２１Ａ及び導水部材４０Ａもハウジング２５内から取り外すことができるため、該周壁部２１Ａ及び導水部材４０Ａも容易に且つ十分に清掃したりメンテナンスすることができる。また、これらを取り外すことにより、洗い場排水受入口１１を介してハウジング２５内及び流路形成溝２６内も容易に且つ十分に清掃したりメンテナンスすることができる。
【０１０１】
［第３の実施の形態］
第２４図は、第３の実施の形態に係る排水トラップにおける蓋プレートの仕切壁係合部付近の断面図である。
【０１０２】
第２４図の通り、この実施の形態では、流路形成溝２６内を浴槽排水流路３０と各導入流路５０とに区画する仕切壁２７が蓋プレート６０と別体に構成されている。蓋プレート６０（凸部６１）の下面には、仕切壁２７の上端部が係合する仕切壁係合溝６４が設けられている。この実施の形態では、該仕切壁係合溝６４は、入口側（蓋プレート６０の下面側）ほど幅が狭くなるアリ溝状となっている。この仕切壁係合溝６４の延在方向の両端側は、蓋プレート６０（凸部６１）の側周面に開放している。第２４図の通り、この実施の形態では、蓋プレート６０の下面には、流路形成溝２６の幅方向に間隔をあけて複数条の周壁部係合溝６４が設けられている。仕切壁２７の上端部の両側面からは、それぞれ、この仕切壁係合溝６４内に係合する張出部２７ｂが突設されている。各張出部２７ｂは、仕切壁係合溝６４のアリ溝形状と略合致するように、仕切壁２７の上端側ほど側方への張り出し量が大きくなるアリ頭形状となっている。なお、仕切壁係合溝６４及び仕切壁２７の上端部の形状はこれに限定されない。また、仕切壁２７は、これ以外の取付構造（例えばビス留め等）により蓋プレート６０に取り付けられてもよい。
【０１０３】
この実施の形態のその他の構成は、前述の第２の実施の形態と同様である。
【０１０４】
この実施の形態にあっては、第２４図の通り、各仕切壁２７を係合させるための仕切壁係合溝６４が、それぞれ、流路形成溝２６の幅方向に間隔をあけて複数条設けられている。そのため、仕切壁２７を係合させる仕切壁係合溝６４を適宜選択・変更することにより、浴槽排水流路３０及びその両側の各導入流路５０の幅を調節することができ、これによって浴槽排水流路３０を流れる水量と各導入流路５０を流れる水量との比を変えることができる。これにより、浴槽の容積等に応じて適切な量の浴槽排水を各導入流路５０に導くことが可能となる。
【０１０５】
仕切壁２７の設置位置調節用の仕切壁係合溝６４の個数に特に制限はないが、例えば５〜１０ｍｍおきに２〜１０条設けるのが好ましい。
【０１０６】
なお、前述の第１の実施の形態のように、各仕切壁２７を流路形成溝２６の底面に設ける場合にも、この実施の形態と同様に、各仕切壁２７の設置位置を変更しうるように構成してもよい。
【０１０７】
上記の各実施の形態は、いずれも本発明の一例を示すものであり、本発明は図示の構成に限定されない。
【符号の説明】
【０１０８】
１０，１０Ａ  排水トラップ
１１  洗い場排水受入口
１２  浴槽排水受入口
１３  結合フランジ
１４  合流流出口
１７  ヘアキャッチャー
２０  受入室
２１，２１Ａ  周壁部
２１ｄ  張出部
２１ｆ  吐水部
２１ｈ  吐水口
２２  第１流出口
２３  封水室
２４  第２流出口
２５  ハウジング
２６  流路形成溝
２７  仕切壁
２８  流路カバー
２９  浴槽排水導入口
３０  浴槽排水流路
３１  第３流出口
４０，４０Ａ  導水部材
４１，４１Ａ  導水筒
４２  吐水口
５０  導入流路
６０  蓋プレート
【図１】
2011089366.tif 000003
【図２】
2011089366.tif 000004
【図３】
2011089366.tif 000005
【図４】
2011089366.tif 000006
【図５】
2011089366.tif 000007
【図６】
2011089366.tif 000008
【図７】
2011089366.tif 000009
【図８】
2011089366.tif 000010
【図９】
2011089366.tif 000011
【図１０】
2011089366.tif 000012
【図１１】
2011089366.tif 000013
【図１２】
2011089366.tif 000014
【図１３】
2011089366.tif 000015
【図１４】
2011089366.tif 000016
【図１５】
2011089366.tif 000017
【図１６】
2011089366.tif 000018
【図１７】
2011089366.tif 000019
【図１８】
2011089366.tif 000020
【図１９】
2011089366.tif 000021
【図２０】
2011089366.tif 000022
【図２１】
2011089366.tif 000023
【図２２】
2011089366.tif 000024
【図２３】
2011089366.tif 000025
【図２４】
2011089366.tif 000026